(57)【要約】【課題】複数の送信方式それぞれのプレビューの確認を容易に行えるようにし、利便性及び操作性の向上を図る。【解決手段】異なる複数の送信方式で画像データの送信が可能で、原稿読取部５による読み取りで得られた画像データを、操作受付部１０１によって受け付けられたユーザーが指定した宛先へ送信する送信部１０３と、操作受付部１０１が送信対象の画像データに対するユーザーからのプレビュー指示を受け付けると、送信対象の画像データのプレビューを、複数の送信方式のうちのいずれかの送信方式に従って表示部４７３に表示する制御部１００と、を備え、更に、制御部１００は、プレビューが表示部４７３に表示されているときに、操作受付部１０１がプレビュー表示する送信方式を切り替えるユーザー指示を受け付けると、プレビューをユーザーが指定した送信方式に従って表示部４７３に表示する。【選択図】図１
2019213101.tif 000002
【特許請求の範囲】
【請求項１】
表示部と、
ユーザーからの操作入力を受け付ける操作受付部と、
異なる複数の送信方式により画像データの送信が可能で、送信対象とする画像データを、前記操作受付部によって受け付けられたユーザーが指定した宛先へ送信する送信部と、
前記操作受付部が送信対象の画像データに対するユーザーからのプレビュー指示を受け付けると、送信対象の前記画像データのプレビューを、前記複数の送信方式のうちのいずれかの送信方式に従って前記表示部に表示する制御部と、を備え、
更に、前記制御部は、前記プレビューが前記表示部に表示されているときに、前記操作受付部がプレビュー表示する送信方式を切り替えるユーザー指示を受け付けると、前記プレビューをユーザーが指定した送信方式に従って前記表示部に表示する画像処理装置。
【請求項２】
登録宛先を記憶する宛先記憶部を更に備え、
前記制御部は、前記操作受付部が前記登録宛先から宛先を選択するユーザー指示を受け付けると、前記登録宛先から宛先を選択するための選択画面を前記表示部に表示し、
前記プレビューが前記表示部に表示されているときに、前記操作受付部が前記登録宛先から宛先を選択するユーザー指示を受け付けると、前記登録宛先のうち、前記プレビューの表示に用いた送信方式に対応する宛先だけが選択可能となる前記選択画面を前記表示部に表示する請求項１に記載の画像処理装置。
【請求項３】
前記制御部は、前記操作受付部が宛先の直接入力を要求するユーザー指示を受け付けると、宛先を入力するための入力画面を前記表示部に表示し、
前記プレビューが前記表示部に表示されているときに、前記操作受付部が前記直接入力を要求するユーザー指示を受け付けると、前記プレビューの表示に用いた送信方式に対応する宛先だけが入力可能となる前記入力画面を前記表示部に表示する請求項１又は請求項２に記載の画像処理装置。
【発明の詳細な説明】
【技術分野】
【０００１】
本発明は、画像処理装置に関し、特に、画像データの送信前に、画像データのプレビューを表示部に表示する技術に関する。
【背景技術】
【０００２】
スキャン機能を有した複合機等の画像処理装置には、読み取った原稿の画像データを外部へ送信する前に、当該画像データのプレビューを表示部に表示する機能を有しているものがある。これにより、ユーザーは画像データを送信する前に、送信イメージを確認することができる。下記の特許文献１には、送信宛先と当該送信宛先へ送信する画像データのプレビューとを対応付けて表示部に表示することが記載されている。下記の特許文献２には、予め定められた条件が成立すると、画像データのプレビューを表示部に表示することが記載されている。また、上記画像処理装置には、読み取った原稿の画像データを、異なる複数の送信方式（例えば、E-mail、FTP、SMB、ファクシミリ、WebDAV）で外部へ送信可能なものも存在する。
【先行技術文献】
【特許文献】
【０００３】
【特許文献１】特開２００８−１４８０５２号公報
【特許文献２】特開２０１０−０５７１２４号公報
【発明の概要】
【発明が解決しようとする課題】
【０００４】
画像処理装置では、ユーザーが画像データの送信宛先を指定し、その後、ユーザーがプレビューの表示を指示すると、当該画像データのプレビューが、ユーザーが指定した送信宛先に対応する送信方式に従って表示部に表示されるようになっている。例えば、ユーザーは送信宛先としてファクシミリ用の宛先を指定した場合には、ファクシミリ方式に従ったプレビューを確認することができ、ユーザーは送信宛先としてE-mail用の宛先を指定した場合には、E-mailに添付した場合の当該画像データのプレビューを確認することができる。
【０００５】
ところで、送信方式が異なれば、送信内容や送信画質が変わることがある。例えば、送信対象の原稿がカラーである場合に、E-mailではカラー画像で送信されたとしても、ファクシミリではモノクロ画像で送信されることがある。そのため、ユーザーは複数の送信方式それぞれのプレビューを確認したいときがある。
【０００６】
しかしながら、複数の送信方式それぞれのプレビューを確認しようとすれば、ユーザーは送信方式それぞれに対応する宛先を指定してから、その都度、ユーザーはプレビューの表示を指示しなければならず、利便性が悪い。例えば、A氏宛に画像データを送信するのに、E-mail、FTP、SMB、ファクシミリそれぞれのプレビューを確認したい場合、ユーザーはA氏のE-mail用の宛先を指定してプレビューの表示を指示し、この操作を同様にFTP用の宛先、SMB用の宛先、そしてファクシミリ用の宛先それぞれについて行う必要がある。
【０００７】
本発明は、上記の事情に鑑みなされたものであり、複数の送信方式それぞれのプレビューの確認を容易に行えるようにし、利便性及び操作性の向上を図ることを目的とする。
【課題を解決するための手段】
【０００８】
本発明の一局面に係る画像処理装置は、表示部と、ユーザーからの操作入力を受け付ける操作受付部と、異なる複数の送信方式により画像データの送信が可能で、送信対象とする画像データを、前記操作受付部によって受け付けられたユーザーが指定した宛先へ送信する送信部と、前記操作受付部が送信対象の画像データに対するユーザーからのプレビュー指示を受け付けると、送信対象の前記画像データのプレビューを、前記複数の送信方式のうちのいずれかの送信方式に従って前記表示部に表示する制御部と、を備え、更に、前記制御部は、前記プレビューが前記表示部に表示されているときに、前記操作受付部がプレビュー表示する送信方式を切り替えるユーザー指示を受け付けると、前記プレビューをユーザーが指定した送信方式に従って前記表示部に表示するものである。
【発明の効果】
【０００９】
本発明によれば、プレビュー表示する送信方式の切り替えをユーザーが行え、複数の送信方式それぞれのプレビューの確認を容易に行うことが可能となるので、利便性及び操作性の向上を図ることができる。
【図面の簡単な説明】
【００１０】
【図１】本発明の実施形態に係る画像処理装置の主要内部構成を概略的に示した機能ブロック図である。
【図２】表示部に表示される操作画面の一例を示した図である。
【図３】表示部に表示される操作画面の切り替わりの一例を説明するためのフローチャートである。
【図４】表示部に表示される操作画面の一例を示した図である。
【図５】表示部に表示される操作画面の一例を示した図である。
【図６】表示部に表示される操作画面の一例を示した図である。
【図７】（Ａ）（Ｂ）は、表示部に表示される操作画面の一例を示した図である。
【図８】表示部に表示される操作画面の切り替わりの一例を説明するためのフローチャートである。
【発明を実施するための形態】
【００１１】
以下、本発明の一実施形態に係る画像処理装置について図面を参照して説明する。図１は、本発明の実施形態に係る画像処理装置の主要内部構成を概略的に示した機能ブロック図である。
【００１２】
実施形態に係る画像処理装置は、例えば、コピー機能、プリンター機能、スキャン機能、及びファクシミリ機能のような複数の機能を兼ね備えた複合機である。画像処理装置１は、制御ユニット１０、原稿給送部６、原稿読取部５、画像形成部１２、定着部１３、給紙部１４、操作部４７、ファクシミリ通信部７１、及びネットワークインターフェイス部９１を備える。
【００１３】
画像処理装置１で原稿読取動作が行われる場合について説明する。原稿給送部６により搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００１４】
画像処理装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙にトナー像を形成する。
【００１５】
定着部１３は、画像形成部１２によりトナー像が形成された記録紙を加熱及び加圧して、トナー像を記録紙に定着させるものであり、定着処理が施された記録紙は図略の排出トレイに排出される。給紙部１４は、給紙カセットを備える。
【００１６】
操作部４７は、画像処理装置１が実行可能な各種動作及び処理について、操作者から、画像形成動作実行指示等の指示を受け付ける。操作部４７は、操作者への操作案内等を表示する表示部４７３を備えている。
【００１７】
表示部４７３はタッチパネル機能を有しており、操作者は画面表示されるボタンやキーに触れて画像処理装置１を操作することができる。
【００１８】
ファクシミリ通信部７１は、図略の符号化／複合化、変復調部及びＮＣＵ（Network Control Unit）を備え、公衆電話回線網等を用いてファクシミリの送信を行うものである。
【００１９】
ネットワークインターフェイス部９１は、ローカルエリア内、又はインターネット上の端末装置やサーバー等の外部装置２０と種々のデータの送受信を行うものである。
【００２０】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、送信部１０３とを備えている。
【００２１】
制御ユニット１０は、図示しないＨＤＤ（Hard Disk Drive）に記憶されている制御プログラムに従った上記プロセッサーによる動作により、制御部１００、操作受付部１０１、及び送信部１０３として機能するものである。但し、制御部１００等は、制御ユニット１０による制御プログラムに従った動作によらず、それぞれハードウェア回路により構成することも可能である。以下、特に触れない限り、各実施形態について同様である。
【００２２】
制御部１００は、画像処理装置１の全体的な動作制御を司る。制御部１００は、原稿給送部６、原稿読取部５、画像形成部１２、定着部１３、給紙部１４、操作部４７、ファクシミリ通信部７１、及びネットワークインターフェイス部９１と接続され、これら各部の駆動制御等を行う。例えば、制御部１００は、操作受付部１０１が受け付けたユーザー操作に応じて、画像処理装置１の動作を制御する。
【００２３】
操作受付部１０１は、操作部４７を介したユーザーからの操作入力を受け付ける。例えば、操作受付部１０１は、操作部４７が備えるハードキーに対するユーザー操作を受け付け、更には、表示部４７３に表示されている操作画面に対するユーザー操作を、表示部４７３が有するタッチパネル機能により受け付ける。
【００２４】
宛先記憶部１０２は、制御ユニット１０に接続される、例えば、ＨＤＤ又はメモリー等からなる記憶装置である。宛先記憶部１０２は、送信対象とするデータ（本実施形態では画像データとする）の送信宛先として登録されている登録宛先を記憶する。例えば、宛先記憶部１０２には、宛先名に対応付けて、送信方式がE-mailであれば、メールアドレスが記憶され、送信方式がFTPやSMBであれば、ホスト名やIPアドレスが記憶され、送信方式がファクシミリであれば、ファクシミリ番号が記憶される。
【００２５】
送信部１０３は、異なる複数の送信方式で画像データの送信が可能で、原稿読取部５による読み取りで得られた画像データを、操作受付部１０１によって受け付けられたユーザーが指定した宛先へ送信する。例えば、ユーザーがE-mail用の宛先を指定すると、送信部１０３は、E-mailに画像データを添付し、ネットワークインターフェイス部９１を介して、ユーザーが指定した宛先へ画像データを送信する。
【００２６】
また、ユーザーがFTPやSMB用の宛先を指定すると、送信部１０３は、画像データをコンピューターで扱えるファイルに変換し、ネットワークインターフェイス部９１を介して、ユーザーが指定した宛先へ画像データを送信する。また、ユーザーがファクシミリ用の宛先を指定すると、送信部１０３は、ファクシミリ通信部７１を介して、ユーザーが指定した宛先へ画像データを送信する。
【００２７】
次に、実施形態に係る画像処理装置１の制御ユニット１０で行われる処理動作の一例について、図２及び図４乃至図７に示した操作画面と、図３及び図８に示したフローチャートとを用いて説明する。制御部１００は、例えば、操作受付部１０１が送信機能（スキャン機能）を実行させるユーザー指示を受け付けると、送信対象の原稿を原稿読取部５に読み取らせ、原稿読取部５による読み取りで得られた画像データを、図略の画像メモリーに保存させ、図２に示すような操作画面Ｄ１を表示部４７３に表示する。
【００２８】
操作画面Ｄ１には、送信機能のカテゴリー「簡易設定」に属している機能を呼び出すための機能選択ボタンＢ１乃至Ｂ６が表示されている。操作画面Ｄ１には、カテゴリーを切り替えるためのタグＴＧ１乃至ＴＧ６が表示されており、ユーザーはタグＴＧ１乃至ＴＧ６をタップすることで、カテゴリーの切り替えが可能となっている。
【００２９】
また、操作画面Ｄ１には、「プレビュー」と表記された実行ボタンＢ７が表示されると共に、原稿読取部５による読み取りで得られた画像データの読込イメージを表示するための表示領域Ｅ１が設けられ、表示領域Ｅ１には読込イメージを示したイメージ画像Ｇ１が表示されている。
【００３０】
図２に示した操作画面Ｄ１が表示部４７３に表示されているときに、「宛先」と表記されたタグＴＧ１がユーザーによってタップされ、操作受付部１０１が送信対象の画像データを送信する宛先の指定を要求するユーザー指示を受け付けると、制御部１００は、当該画像データを送信する宛先を指定するための操作画面Ｄ２（図３）を表示部４７３に表示する。図３に示した操作画面Ｄ２には、「登録宛先」と表記された選択ボタンＢ１１及び「直接入力」と表記された選択ボタンＢ１２が表示される。
【００３１】
操作画面Ｄ２が表示部４７３に表示されているときに、「登録宛先」と表記された選択ボタンＢ１１がユーザーにタップされることによって、操作受付部１０１が登録宛先からの宛先を選択するユーザー指示を受け付けると、制御部１００は、登録宛先から宛先を選択するための選択画面Ｄ３（図３）を表示部４７３に表示する。図３に示した選択画面Ｄ３には、宛先記憶部１０２に記憶されている登録宛先のリストが表示され、登録宛先から宛先をユーザーが選択可能となっている。
【００３２】
ここで、ユーザーが操作部４７を操作して登録宛先から宛先を選択することで、操作受付部１０１が、送信対象の画像データを送信する宛先の指定を受け付けると、制御部１００は、図４に示すように、ユーザーが指定した宛先を示した宛先リストＬ１が表示された操作画面Ｄ１１を表示部４７３に表示する。
【００３３】
図４に示した操作画面Ｄ１１が表示部４７３に表示されているときに、操作部４７が備える図略の「スタート」のハードキーがユーザーに押下され、操作受付部１０１が、送信のユーザー指示を受け付けると、送信部１０３は、送信対象の画像データを、ユーザーが指定した宛先へ送信する。例えば、ユーザーが指定した宛先がE-mail用である場合、送信部１０３は、E-mailに当該画像データを添付し、ネットワークインターフェイス部９１を介して、ユーザーが指定した宛先へ画像データを送信する。
【００３４】
また、図４に示した操作画面Ｄ１１が表示部４７３に表示されているときに、操作画面Ｄ１１に形成されている「プレビュー」と表記された実行ボタンＢ７がタップされ、操作受付部１０１が送信対象の画像データのプレビュー指示を受け付けると、制御部１００は、当該画像データのプレビュー（図５を参照）を、ユーザーが指定した宛先に対応する送信方式に従って表示部４７３に表示する。
【００３５】
図５に、送信対象の画像データの送信イメージを表示するための表示領域Ｅ２が設けられ、表示領域Ｅ２には当該画像データの送信イメージを示したイメージ画像Ｇ２（プレビュー）が表示された操作画面Ｄ１２の例を示す。
【００３６】
ここで、操作部４７が備える「スタート」のハードキーがユーザーに押下され、操作受付部１０１が送信のユーザー指示を受け付けると、上記と同様に、送信部１０３は、当該画像データをユーザーが指定した宛先へ送信する。
【００３７】
一方、図３に示した操作画面Ｄ２が表示部４７３に表示されているときに、「直接入力」と表記された選択ボタンＢ１２がユーザーにタップされることによって、操作受付部１０１が宛先の直接入力を要求するユーザー指示を受け付けると、制御部１００は、送信方式を選択するための操作画面Ｄ４（図３）を表示部４７３に表示する。操作画面Ｄ４には、「E-mail」と表記された選択ボタンＢ１３、「FTP」と表記された選択ボタンＢ１４、「SMB」と表記された選択ボタンＢ１５、及び「FAX」と表記された選択ボタンＢ１６が形成されている。
【００３８】
操作画面Ｄ４が表示部４７３に表示されているときに、「E-mail」と表記された選択ボタンＢ１３がユーザーにタップされることによって、操作受付部１０１がE-mail用の宛先の入力を要求するユーザー指示を受け付けると、制御部１００は、E-mail用の宛先の入力画面Ｄ５（図３）を表示部４７３に表示する。
【００３９】
上記と同様に、選択ボタンＢ１４がユーザーにタップされると、制御部１００は、FTP用の宛先の入力画面Ｄ６（図３）を表示部４７３に表示し、選択ボタンＢ１５がユーザーにタップされると、制御部１００は、SMB用の宛先の入力画面Ｄ７（図３）を表示部４７３に表示し、選択ボタンＢ１６がユーザーにタップされると、制御部１００は、ファクシミリ用（FAX用）の宛先の入力画面Ｄ８（図３）を表示部４７３に表示する。
【００４０】
操作画面Ｄ５乃至Ｄ８を通じて、ユーザーが宛先を入力することで、操作受付部１０１が送信対象の画像データを送信する宛先の指定を受け付けると、制御部１００は、上記と同様に、ユーザーが指定した宛先を示した宛先リストＬ１が表示された操作画面Ｄ１１（図４）を表示部４７３に表示する。これ以降については、「登録宛先」から宛先を指定した場合と同様の処理なので、説明を省略する。
【００４１】
一方、図２に示した操作画面Ｄ１が表示部４７３に表示されているときに、「プレビュー」と表記された実行ボタンＢ７がユーザーによってタップされ、操作受付部１０１が送信対象の画像データに対するユーザーからのプレビュー指示を受け付けると、制御部１００は、図６に示すように、当該画像データのプレビューを、予め定められた送信方式（デフォルトの送信方式。ここでは、FTP方式とする）に従って表示部４７３に表示する。図６に示した操作画面Ｄ１２には、送信対象の画像データを送信する宛先の指定を要求するための機能選択ボタンＢ８が表示されると共に、当該画像データの送信イメージ（プレビュー）を表示するための表示領域Ｅ２が設けられ、表示領域Ｅ２には送信イメージを示したイメージ画像Ｇ３が表示されている。ここでは、制御部１００は、予め定められた送信方式であるFTP方式で上記送信対象の画像データを送信する場合のプレビュー画像を作成し、当該プレビュー画像を送信イメージとして表示領域Ｅ２に表示する。
【００４２】
また、操作画面Ｄ１２には、送信方式を切り替えるためのタグＴＧ７乃至ＴＧ１０が形成されており、ユーザーはタグＴＧ７乃至ＴＧ１０をタップすることで、それぞれのタグに対応付けられた送信方式の指定を操作受付部１０１が受け付け、制御部１００が当該指定を受けた送信方式に、上記送信対象とする画像データの送信方式を切り替えて設定する。
【００４３】
操作画面Ｄ１２が表示部４７３に表示されている（すなわち、送信対象の画像データのプレビューが表示部４７３に表示されている）ときに、タグＴＧ７乃至ＴＧ１０のいずれかがユーザーによってタップされ、操作受付部１０１がプレビュー表示する送信方式を切り替えるユーザー指示を受け付けると、制御部１０１は、送信対象の画像データのプレビュー画像をユーザーが指定した送信方式で作成し、当該プレビュー画像を送信イメージとして表示領域Ｅ２に表示する。
【００４４】
例えば、「E-mail」と表記されたタグＴＧ７がユーザーによってタップされ、操作受付部１０１がプレビュー表示する送信方式をE-mail方式に切り替えるユーザー指示を受け付けると、制御部１００は、図７（Ａ）に示すように、E-mail方式に従ったプレビュー（イメージ画像Ｇ４）を送信イメージとして表示領域Ｅ２に表示する。
【００４５】
また、「SMB」と表記されたタグＴＧ９がユーザーによってタップされ、操作受付部１０１がプレビュー表示する送信方式をSMB方式に切り替えるユーザー指示を受け付けると、制御部１００は、図７（Ｂ）に示すように、SMB方式に従ったプレビュー（イメージ画像Ｇ５）を送信イメージとして表示領域Ｅ２に表示する。これにより、プレビュー表示する送信方式の切り替えをユーザーが簡単に行え、複数の送信方式それぞれのプレビューを簡単に確認することが可能となる。
【００４６】
また、例えば、図７（Ａ）に示した操作画面Ｄ１２が表示部４７３に表示されているときに、「宛先」と表記された機能選択ボタンＢ８がユーザーによってタップされ、操作受付部１０１が送信対象の画像データを送信する宛先の指定を要求するユーザー指示を受け付けると、制御部１００は、当該画像データを送信する宛先を指定するための操作画面Ｄ２（図８）を表示部４７３に表示する。図８に示した操作画面Ｄ２には、「登録宛先」と表記された選択ボタンＢ１１及び「直接入力」と表記された選択ボタンＢ１２が表示される。
【００４７】
図８に示した操作画面Ｄ２が表示部４７３に表示されているときに、「登録宛先」と表記された選択ボタンＢ１１がユーザーにタップされることによって、操作受付部１０１が登録宛先からの宛先を選択するユーザー指示を受け付けると、制御部１００は、登録宛先から宛先を選択するための選択画面Ｄ２１（図８）を表示部４７３に表示する。
【００４８】
制御部１００は、選択画面Ｄ２１として、図３に示した選択画面Ｄ３と異なり、宛先記憶部１０２に記憶されている登録宛先のうち、プレビューの表示に用いた送信方式（ここでは、E-mail方式）に対応する宛先のリストが表示された画面を表示する。この選択画面Ｄ２１により、登録宛先のうち、当該送信方式に対応する宛先だけをユーザーが選択可能にする。つまり、制御部１００は、宛先リストにフィルター処理を施し、選択画面Ｄ２１で表示する宛先のリストに、FTP形式、SMB形式、及びファクシミリ形式の宛先が含まれないようにする。
【００４９】
ここで、選択画面Ｄ２１の表示時に、ユーザーが登録宛先から宛先を選択することで、操作受付部１０１が送信対象の画像データを送信する宛先の指定を受け付けると、制御部１００は、図４に示したように、ユーザーが指定した宛先を示した宛先リストＬ１が表示された操作画面Ｄ１１を表示部４７３に表示する。なお、これ以降の処理は、図３に示したフローチャートを用いて説明した処理と同様であるので、説明を省略する。
【００５０】
一方、図８に示した操作画面Ｄ２が表示部４７３に表示されているときに、「直接入力」と表記された選択ボタンＢ１２がユーザーにタップされることによって、操作受付部１０１が宛先の直接入力を要求するユーザー指示を受け付けると、制御部１００は、プレビューの表示に用いた送信方式（ここでは、E-mail方式）に対応する宛先だけが入力可能となる入力画面Ｄ５を表示部４７３に表示する。なお、これ以降の処理は、図３に示したフローチャートを用いて説明した処理と同様であるので、説明を省略する。
【００５１】
上記実施形態によれば、宛先を指定しなくても、プレビュー表示する送信方式をユーザーが切り替えることで、複数の送信方式それぞれのプレビューの確認を容易に行うことが可能となるので、利便性及び操作性の向上を図ることができる。
【００５２】
また、プレビュー表示後に登録宛先から宛先を指定する場合には、プレビュー表示した送信方式に対応した登録宛先（当該送信方式で送信可能な登録宛先）のフィルター処理が施される。また、プレビュー表示後に直接入力で宛先をしている場合には、プレビュー表示している送信方式用の宛先の入力画面が表示部４７３に表示される。従って、利便性及び操作性の更なる向上を図ることができる。
【００５３】
本発明は上記実施の形態の構成に限られず種々の変形が可能である。また、上記実施形態では、本発明に係る画像処理装置の一実施形態として複合機を用いて説明しているが、これは一例に過ぎず、スキャン機能を有した他の画像処理装置でもよい。
【００５４】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００５５】
１        画像処理装置
５        原稿読取部
１００    制御部
１０１    操作受付部
１０２    宛先記憶部
１０３    送信部
４７３    表示部
【図１】
2019213101.tif 000003
【図２】
2019213101.tif 000004
【図３】
2019213101.tif 000005
【図４】
2019213101.tif 000006
【図５】
2019213101.tif 000007
【図６】
2019213101.tif 000008
【図７】
2019213101.tif 000009
【図８】
2019213101.tif 000010